(57)【要約】      （修正有）【課題】灯管内部の電源線路の配置を改良することで、電磁障害の低減を図った発光ダイオード灯管を提供する。【解決手段】発光ダイオード灯管のケース２０内部に収容空間２１が形成され、該収容空間が隔板２２で上部空間２１１と下部空間２１２に区画され、上部空間の両端に、異なる交流電極と電気的に接続された第１コネクタ３１と第２コネクタ３２が設けられ、上部空間中に電力供給駆動ユニット３０が設けられ、該電力供給駆動ユニットはそれぞれ第１電源入力線３３１と第２電源入力線３３２で上述の第１コネクタ３１及び第２コネクタ３２に電気的に接続され、該第１電源入力線は該下部空間に通された後に第１コネクタ３１に接続される。これにより、交流電源を輸送する第１電源入力線３３１が直流電線３４と隔離され、直流制御信号が交流電線３３中に進入して全体の建築物の電力供給回路に影響を与えたり周囲環境に対して電磁波傷害を及ぼしたりするのを防止する。【選択図】図２
0003164418.tif 000002
【実用新案登録請求の範囲】
【請求項１】
発光ダイオード灯管において、ケースを包含し、該ケースの内部に収容空間が形成され、該ケースの両端に第１コネクタと第２コネクタが設けられ、該第１コネクタ及び該第２コネクタによりランプソケットの電極と電気的に接続され、該収容空間に回路板が設けられ、該回路板は上端の上部空間と下端の下部空間に隔てられ、該回路板の下部空間の一側に複数の発光ダイオードユニットが設けられ、該上部空間中に、電力供給駆動ユニットが取付けられ、該電力供給駆動ユニットは第１電源入力線で該第１コネクタに接続され、該第２電源入力線で該第２コネクタに接続され、さらに直流電線で該回路板に電気的に接続され、該第１電源入力線は該回路板以下の空間を通り該第１コネクタに接続され、これにより該第１電源入力線が該直流電線と隔離されたことを特徴とする、発光ダイオード灯管。
【請求項２】
請求項１記載の発光ダイオード灯管において、該第１電源入力線は該回路板の内部を通り該第１コネクタに接続されることを特徴とする、発光ダイオード灯管。
【請求項３】
請求項１記載の発光ダイオード灯管において、該第１電源入力線は該下部空間の該回路板表面に嵌め込まれて該第１コネクタに接続されることを特徴とする、発光ダイオード灯管。
【請求項４】
請求項１記載の発光ダイオード灯管において、該第１電源入力線は該下部空間の管体内側面において第１コネクタに接続されることを特徴とする、発光ダイオード灯管。
【請求項５】
請求項４記載の発光ダイオード灯管において、該第１電源入力線は透明導電膜とされることを特徴とする、発光ダイオード灯管。
【請求項６】
請求項２乃至５のいずれかに記載の発光ダイオード灯管において、該第１電源入力線と該第２電源入力線は該第２コネクタに接近する一端が該電力供給駆動ユニットに接続され、該直流電線は該第１コネクタに接近する一端が該電力供給駆動ユニットに接続されることを特徴とする、発光ダイオード灯管。
【請求項７】
請求項６記載の発光ダイオード灯管において、該ケースは支持ケースと、透光材質で形成されて該支持ケースと組み合わされるランプカバーを包含することを特徴とする、発光ダイオード灯管。
【請求項８】
請求項７記載の発光ダイオード灯管において、該支持ケースは半円弧状板とされ、並びに半円弧状板の底部両側に嵌め溝が設けられ、該嵌め溝により該回路板が組み合わされることを特徴とする、発光ダイオード灯管。
【請求項９】
請求項７記載の発光ダイオード灯管において、該支持ケースは半円弧状板とされ、並びに底部に隔板が一体成形され、該隔板により回路板と組み合わされることを特徴とする、発光ダイオード灯管。
【請求項１０】
請求項７記載の発光ダイオード灯管において、該支持ケースは半円弧状板とされ、並びに半円弧状板の底部両側にそれぞれ嵌め溝が設けられ、該嵌め溝に隔板が組み合わされ、該隔板により回路板と組み合わされることを特徴とする、発光ダイオード灯管。
【請求項１１】
請求項９記載の発光ダイオード灯管において、該隔板は金属材質とされることを特徴とする、発光ダイオード灯管。
【請求項１２】
請求項１０記載の発光ダイオード灯管において、該隔板は金属材質とされることを特徴とする、発光ダイオード灯管。
【考案の詳細な説明】
【技術分野】
【０００１】
本考案は蛍光灯ソケットに直接差し込んで使用できる発光ダイオード灯管であって、特に灯管内部の電源回路に発生する相互干渉を減らした発光ダイオード灯管に関する。
【背景技術】
【０００２】
科学技術の進歩により、人々のエネルギーに対する需要も不断に増加し、エネルギー不足の状況を防止するため、各界では新たなエネルギー源を探し求める一方で、既存の装置の消費電力をさらに減らす努力を行っている。
【０００３】
一般の家庭用電力中、照明は非常に大きな部分を占め、このためランプの電力使用効率の改善が、注目の課題となっている。各種のランプの改善のうち、発光ダイオードを伝統的な照明光源の代わりに使用することは、相当に一般的に用いられる技術である。しかし、発光ダイオードは直流電源を使用する電子装置であり、並びに一般のランプとは異なり、交流ソケットに差し込んで使用することはできない。この問題を解決するため、現在、各種の発光ダイオード光源中に、一般に交流直流変換用の電力供給駆動モジュールが接地され、交流電源を発光ダイオードが使用できる５ボルト直流電源に変換するほか、同時に高周波のパルスを利用して発光ダイオードに対して輝度コントロールを行っている。
【０００４】
この方法は比較的大型の発光ダイオードランプにおいて良好な効果を得られるが、発光ダイオードランプのサイズを減らす時、例えば管径の比較的小さい蛍光灯型発光ダイオードランプを製造する時は、ランプサイズの縮小により、内部配線空間も縮小せざるをえないため、高周波雑音抑制素子を取り付ける空間が減り、また、各配線の間の空間も縮小せざるをえないため、直流電線の高周波信号が交流電線に進入して干渉の減少を発生しやすくなる。
【０００５】
図１は、一般的な発光ダイオード灯管であって、ケース１０を具え、該ケース１０の内部空間が電力供給駆動モジュール１１を取り付ける駆動エリア１２と、発光ダイオードモジュール１３を取り付ける照明エリア１４に区画されている。現在一般的な配線においては、電力供給駆動モジュール１１の両端は交流電線１５によりケース１０両側の電極１６に接続され、電力供給駆動モジュール１１が交流電源を直流電源に変換し、該直流電源が直流電線１７で照明エリア１４中の発光ダイオードモジュール１３に接続される。
【０００６】
直流電線１７と交流電線１５はいずれも電力供給駆動モジュール１１に接続され、加えて配線空間縮小の因子により、交流電線１５と直流電線１７は電力供給駆動モジュール１１付近で接近状態となるのを回避できず、このため直流電線１７中を流れる高周波信号が非常に容易に交流電線１５中に進入しやすくなる。
【０００７】
高周波信号に干渉された交流電線は多くの電磁波攪乱の雑音を付帯し、雑音を有する電気信号が建築物自身の電力供給回路に進入すると、同一回路中の其の他の電気製品に厳重な様々な影響を及ぼし、且つこの高周波攪乱電気信号が発生する電磁波も周囲の生命体或いは無生命物質に対して傷害を及ぼし得る。以上の問題を鑑み、現在周知の発光ダイオード灯管に対して改善を行う必要がある。
【考案の概要】
【考案が解決しようとする課題】
【０００８】
このため、本考案の目的は、一種の発光ダイオード灯管を提供することにあり、それは、灯管内部電源線路の配置を改良し、交流電線が直流電線の雑音を付帯することにより発生する電磁干渉（ＥＭＩ）を減らし、全体の建築物の電力供給回路に及ぼす影響、及び、周辺環境に形成する電磁波傷害を回避できるものとする。
【０００９】
本考案のもう一つの目的は、一種の発光ダイオード灯管を提供することにあり、それは、内部線路配置を通して電磁干渉の抑制効果を達成し、これにより灯管が比較的小さい配線空間で、及び、比較的少ない抑制素子を使用して製造可能とされ、これにより発光ダイオード灯管の生産コストを節約できるものとする。
【課題を解決するための手段】
【００１０】
上述の目的を達成するため、本考案はケースを包含し、該ケースの内部に収容空間が形成され、並びに該ケースの両端に第１コネクタと第２コネクタが設けられ、該第１コネクタ及び第２コネクタは一般のランプソケットの電極と電気的に接続される。該収容空間には回路板が設けられ、並びに該回路板は上端の上部空間と下端の下部空間に隔てられ、該回路板の下部空間の一側に複数の発光ダイオードユニットが設けられ、且つ上述の上部空間中に、電力供給駆動ユニットが取付けられ、該電力供給駆動ユニットは第１電源入力線で該第１コネクタに接続され、並びに第２電源入力線で該第２コネクタに接続され、さらに直流電線で該回路板に電気的に接続されている。そのうち、該第１電源入力線は該回路板の下の空間を通り該第１コネクタに接続され、該第１電源入力線は直流電線と隔離されている。
【００１１】
好ましい実施例において、該第１電源入力線は回路板内部を通り該第１コネクタに接続される。
【００１２】
別の好ましい実施例において、該第１電源入力線は下部空間の回路板表面に嵌め込まれて該第１コネクタに接続される。
【００１３】
また別の好ましい実施例において、該第１電源入力線は下部空間の管体内側面において第１コネクタに接続される。且つ上述の第１電源入力線は透明導電膜とされる。
【００１４】
上述の第１電源入力線と第２電源入力線は第２コネクタに接近する一端が電力供給駆動ユニットに接続され、該直流電線は該第１コネクタに接近する一端が該電力供給駆動ユニットに接続される。且つ該ケースは支持ケースと、透光材質で製造されて該支持ケースと組み合わされるランプカバーを包含する。
【００１５】
好ましい実施例において、該支持ケースは半円弧状板とされ、並びに半円弧状板の底部両側に嵌め溝が設けられ、該嵌め溝に該回路板が組み合わされる。
【００１６】
別の実施例において、上述の支持ケースは半円弧状板とされ、並びに底部に隔板が一体成形され、該隔板と回路板が組み合わされる。且つ該隔板は金属材質とされる。
【００１７】
また、好ましい実施例において、該支持ケースは半円弧状板とされ、並びに半円弧状板の底部両側にそれぞれ嵌め溝が設けられ、該嵌め溝に隔板が組み合わされ、該隔板により回路板と組み合わされる。且つ該隔板は金属材質とされる。
【考案の効果】
【００１８】
本考案は交流電線（該交流電線はすなわち該第１電源入力線及び第２電源入力線である）に十分に下部空間の空間を利用して配線を行わせ、直流電線と接近しすぎることにより電磁干渉を形成するのを防止する。並びにさらに、上部空間のサイズを縮小し、これにより生産コストと発光ダイオード灯管の全体体積を減らすことができる。
【図面の簡単な説明】
【００１９】
【図１】周知の発光ダイオード灯管の断面図である。
【図２】本考案の組合せ表示図である。
【図３】図２の断面図である。
【図４】本考案の第１電源入力線の別の実施例の組合せ表示図である。
【図５】本考案の第１電源入力線の別の実施例の組合せ表示図である。
【図６】本考案の隔板の別の実施例の組合せ表示図である。
【図７】本考案の支持ケースの別の実施例の組合せ表示図である。
【考案を実施するための形態】
【００２０】
本考案の技術内容、構造特徴、達成する目的を詳細に説明するため、以下に実施例を挙げ並びに図面を組み合わせて説明する。
【００２１】
図２及び図３を参照されたい。図示されるように、本考案はケース２０を包含し、該ケース２０は蛍光灯管の造形とされ、並びに該ケース２０の内部に収容空間２１が形成されている。該収容空間２１は電力供給駆動ユニット３０を取り付ける上部空間２１１と発光ダイオードユニット４０を取り付ける下部空間２１２とに回路板４１により区画されている。ケース２０の両端には異なる交流電極と接続される第１コネクタ３１と第２コネクタ３２が設けられている。該電力供給駆動ユニット３０は該第１コネクタ３１及び該第２コネクタ３２の入力する交流電源を発光ダイオードユニット４０の使用できる直流電源に変換し、並びに電力供給周波数を調整する方式で発光ダイオードユニット４０に対して制御を行う。且つ該発光ダイオードユニット４０は該回路板４１の下部空間２１２に近い一側に取付けられる。
【００２２】
該電力供給駆動ユニット３０は２本の交流電線３３で交流電源に接続される。この実施例では、該交流電線３３は第１電源入力線３３１と第２電源入力線３３２（説明しやすいように、本明細書の以下の内容中では、いわゆる交流電線３３は該第１電源入力線３３１と該第２電源入力線３３２とされる）で、該第１コネクタ３１と該第２コネクタ３２に電気的に接続される。並びに入力された交流電源は電力供給駆動ユニット３０で直流電源に変換された後、さらに２本の直流電線３４で回路板４１へと引き込まれ、並びに該発光ダイオードユニット４０に電力を供給する。該直流電線３４は電力供給駆動ユニット３０の交流電線３３に接続されていない一側より引き出される。
【００２３】
この実施例中、該第１電源入力線３３１と該第２電源入力線３３２は該第２コネクタ３２に近い一端により電力供給駆動ユニット３０に接続され、該直流電線３４は該第１コネクタ３１に近い一端により電力供給駆動ユニット３０に接続され、これにより交流電線３３と直流電線３４の過度の接近による直流制御信号の交流電線３３中への進入が防止される。
【００２４】
図２、図４及び図５を参照されたい。該第１電源入力線３３１の、電力供給駆動ユニット３０を通り第１コネクタ３１に接続されるまでの間は、実際の必要に応じて配線方式が調整される。図２に示される実施例では、該回路板４１の表面にプリントエッチング方式で横向きに貫通する第１電源入力線３３１が形成されて、該第１電源入力線３３１が下部空間２１２の回路板４１表面に嵌め込まれて第１コネクタ３１に接続される。且つ該第１電源入力線３３１と第２電源入力線３３２は第２コネクタ３２に接近する一端により電力供給駆動ユニット３０に接続され、該直流電線３４は第１コネクタ３１に近い一端により電力供給駆動ユニット３０に接続される。
【００２５】
図４を参照されたい。この実施例において、該第１電源入力線３３１は直線配線方式で下部空間２１２中に通され、並びに第１コネクタ３１と接続される。且つ上述の第１電源入力線３３１と第２電源入力線３３２は第２コネクタ３２に近い一端により電力供給駆動ユニット３０に接続され、該直流電線３４は第１コネクタ３１に近い一端により電力供給駆動ユニット３０に接続される。
【００２６】
さらに図５を参照されたい。該第１電源入力線３３１はまた、下部空間２１２の管体内側面に設けられて第１コネクタ３１に接続されてもよい。この実施例中、該第１電源入力線３３１は透明導電膜、例えばインジウム錫酸化物（ＩＴＯ）或いは酸化亜鉛（ＺｎＯ）薄膜とされ、並びに該透明導電膜はランプカバー２４の内表面に貼り付けられる。且つ別の実施例では、該第１電源入力線３３１はまた回路板４１内部を通り第１コネクタ３１に接続されてもよい。
【００２７】
上述の第１電源入力線３３１の設置方式は説明の便のために用いられたものであり、上述の各実施例からわかるように、本考案は第１電源入力線３３１を回路板４１及びその以下の空間に設置でき、実際の物理厚さを有する回路板４１により直流電線３４と交流電線３３を相互に隔離し、並びに第１電源入力線３３１と第２電源入力線３３２及び直流電線３４をそれぞれ電力供給駆動ユニット３０の異なる両側と電力供給駆動ユニット３０に接続し、電線の間の過度の接近による電磁干渉の発生を防止する。且つ上述の回路板４１のケース２０内部への固定の接続方式は実際の使用状況の違いにより調整され得る。
【００２８】
図６を参照されたい。図中に示される好ましい実施例において、該ケース２０は支持ケース２３と透光材質で形成され並びに該支持ケース２３と組み合わされるランプカバー２４を包含し、該支持ケース２３と該ランプカバー２４が組み合わされた後に共同で該収容空間２１を形成する。
【００２９】
該支持ケース２３は半円弧状板２３１とされ、該半円弧状板２３１の底部両側にそれぞれ嵌め溝２３２が設けられ、該嵌め溝２３２により該回路板４１が組み合わされる。こうして半円弧状板２３１と回路板４１が組み合わされた後に、共同で該電力供給駆動ユニット３０を取り付ける上部空間２１１を形成し、ランプカバー２４と支持ケース２３が組み合わされた後に形成する別の長管状空間がすなわち、発光ダイオードユニット４０を取り付ける下部空間２１２とされる。
【００３０】
図２を参照されたい。図示される別の実施例において、該支持ケース２３は半円弧状板２３１とされ、並びに半円弧状板２３１の底部に隔板２２が一体成形され、該隔板２２の下部空間２１２に近い一側に該回路板４１が貼り付けられ、且つまた別の実施例では該隔板２２は金属材質とされ、金属材質のシールド作用により電線の間の電磁干渉防止の効果が増強されている。
【００３１】
さらに図７を参照されたい。図示される別の実施例では、該支持ケース２３が半円弧状板２３１とされ、並びに半円弧状板２３１の底部両側にそれぞれ嵌め溝２３２が設けられ、嵌め溝２３２に隔板２２が組み合わされ、並びに隔板２２の下部空間２１２に近い一側に該回路板４１が貼り付けられ、且つまた別の実施例では、該隔板２２は金属材質とされ、金属材質のシールド作用により電線の間の電磁干渉防止の効果が増強されている。
【００３２】
総合すると、本考案の発光ダイオード灯管は、交流電線の配置位置の調整により、交流電線と直流電線の間を回路板により相互に隔離し、これにより電磁干渉の現象を減らしている。これにより、直流制御信号が交流電線中に進入して全体の建築物の電力供給回路に影響を及ぼすこと、或いは周辺環境に電磁波傷害を形成するのを防止できる。且つ全体の体積がコンパクト化され、生産コストを減らすことができる。
【００３３】
以上述べたことは、本考案の実施例にすぎず、本考案の実施の範囲を限定するものではなく、本考案の実用新案登録請求の範囲に基づきなし得る同等の変化と修飾は、いずれも本考案の権利のカバーする範囲内に属するものとする。
【符号の説明】
【００３４】
１０  ケース          １１  電力供給駆動モジュール      １２  駆動エリア
１３  発光ダイオードモジュール                          １４  照明エリア
１５  交流電線        １６  電極                        １７  交流電線
２０  ケース          ２１  収容空間
２１１  上部空間      ２１２  下部空間
２２  隔板            ２２１  回路基板                  ２３  支持ケース
２３１  半円弧状板    ２３２  嵌め溝                    ２５、２４  ランプカバー
３０  電力供給駆動ユニット      ３１  第１コネクタ      ３２  第２コネクタ
３３  交流電線        ３３１  第１電源入力線            ３３２  第２電源入力線
３４  直流電線        ４０  発光ダイオードユニット      ４１  回路板
【図１】
0003164418.tif 000003
【図２】
0003164418.tif 000004
【図３】
0003164418.tif 000005
【図４】
0003164418.tif 000006
【図５】
0003164418.tif 000007
【図６】
0003164418.tif 000008
【図７】
0003164418.tif 000009